(57)【要約】      （修正有）【課題】マラソン大会やイベント会場等における通行規制や通路形成等に用いられる簡易設置用フェンスにおいて、複数のフェンスをスペース効率良く収容することができ、フェンスの搬送、設置、回収作業をより効率的に行うことのできる簡易設置用フェンスを提供する。【解決手段】フェンス本体２と、フェンス本体２を、左右両端側からそれぞれ下支えして起立させる一対の横方向に延びる脚部３とを備え、各脚部３は、平面視でフェンス本体２に沿って格納される格納姿勢と、平面視でフェンス本体２から交差方向に突出してフェンス本体２を下支えする支持姿勢とに切換可能に、上下方向の軸回りに回動可能にフェンス本体２側に連結され、脚部３は、格納姿勢時において、全体がフェンス本体２の左右における脚部３に近い側の端部よりも左右内側に位置するように構成される。【選択図】図１
0003200670.tif 000002
【実用新案登録請求の範囲】
【請求項１】
フェンス本体（２）と、該フェンス本体（２）を、左右両端側からそれぞれ下支えして起立させる一対の横方向に延びる脚部（３）とを備え、各脚部（３）は、平面視でフェンス本体（２）に沿って格納される格納姿勢と、平面視でフェンス本体（２）から交差方向に突出してフェンス本体（２）を下支えする支持姿勢とに切換可能に、上下方向の軸回りに回動可能にフェンス本体（２）側に連結され、前記脚部（３）は、格納姿勢時において、全体が、上記フェンス本体（２）の左右における該脚部（３）に近い側の端部よりも左右内側に位置するように構成された簡易設置用フェンス。
【請求項２】
前記脚部（３）をフェンス本体（２）に回動可能に連結する上下方向の軸部（１８）を備え、該軸部（１８）は、上記フェンス本体の左右における該軸部（１８）に近い側の端部よりも左右内側に配置形成された請求項１に記載の簡易設置用フェンス。
【請求項３】
前記脚部（３）は、その中途部に前記軸部（１８）の下端側が連結されて逆Ｔ字状に形成された請求項２に記載の簡易設置用フェンス。
【請求項４】
前記脚部（３）は、格納姿勢時において、平面視でフェンス本体（２）の幅内に収まるように形成された請求項１乃至３の何れかに記載の簡易設置用フェンス。
【請求項５】
前記脚部（３）の回動位置を無段階で固定する固定具（２３）を設けた請求項１乃至４の何れかに記載の簡易設置用フェンス。
【請求項６】
前記フェンス本体（２）の左右端側は、フェンス本体（２）同士が連結されるジョイント部（８）を設け、該ジョイント部（８）は、平面視でリング状となるように配置された状態で、フェンス本体（２）の幅内に収まるように形成されてなる請求項１乃至５の何れかに記載の簡易設置用フェンス。
【請求項７】
前記ジョイント部（８）は、隣接するフェンス本体（２）側のジョイント部（８）と連結される連結具（２６）を設けた請求項６に記載の簡易設置用フェンス。
1
【請求項８】
前記ジョイント部（８）は、前記連結具（２６）を介して、前記フェンス本体（２）の側方側に開閉可能な扉型フェンス（３０）を設けた請求項７に記載の簡易設置用フェンス。
【請求項９】
前記連結具（２６）は、環状に形成されており、環形状の内側に向けて回動するとともに、環形状を保つ位置に復帰するように付勢されたフック部（２６ａ）が形成されてなる請求項７又は８の何れかに記載の簡易設置用フェンス。
【請求項１０】
前記フェンス本体（２）は、棒状の縦枠（１１）と横枠（１２）とで枠状に形成され、該縦枠（１１）と横枠（１２）との連結箇所は、一対のＴ字状の連結板（１４）で挟持した状態で、該連結板（１４）を縦枠（１１）及び横枠（１２）側に固定してなる請求項１乃至９の何れかに記載の簡易設置用フェンス。
【請求項１１】
前記縦枠（１１）及び横枠（１２）は、その周面に長手方向に沿った凹凸形状であるマーカー部（１６）が形成された請求項１０に記載の簡易設置用フェンス。
【請求項１２】
前記フェンス本体（２）は、角部に上下方向に突出させた突出部（３１）を形成した請求項１乃至１１に記載の簡易設置用フェンス。
【請求項１３】
前記フェンス本体（２）の長手方向を、１．９メートル以下に形成した請求項１乃至１２の何れかに記載のフェンス。
【考案の詳細な説明】
【技術分野】
【０００１】
本考案は、マラソン大会等のイベント会場、工事、警備等における交通規制や誘導用の通路形成等に用いられる持運び可能な簡易設置用フェンスに関する。
【背景技術】
【０００２】
従来より、持運び可能な簡易設置用フェンスとしては、フェンス本体と、フェンス本体を左右両端側からそれぞれ下支えして起立させる一対の横方向に延びる脚部とを備え、該脚部が平面視でフェンス本体から交差方向に突出してフェンス本体をより安定した状態で下支えする特許文献１に示す簡易設置用フェンスが公知になっている。
【先行技術文献】
【特許文献】
【０００３】
【特許文献１】特開２００７−１７７５１９号公報
【考案の概要】
【考案が解決しようとする課題】
【０００４】
上記文献の簡易設置用フェンスによれば、フェンスが持運び易く、安定して自立するため作業者によるフェンスの設置も容易に行うことができる一方で、多くの人が集まるイベント会場、工事現場、警備、公民施設等において使用されるフェンスは、短い準備時間で同じ型のフェンスを多数並べることにより使用するため、作業者がフェンスをスムーズに設置する必要があるとともに、使用後は、フェンスを搬送用のトラック等にスペース効率良く・素早く回収できる必要があるところ、従来のフェンスでは設置・回収作業に手間がかかり、作業に多くの人手が必要になる場合があるという課題があった。
【０００５】
本考案では、マラソン大会やイベント会場等における通行規制や通路形成等に用いられる簡易設置用フェンスにおいて、複数のフェンスをスペース効率良く収容することのでき、フェンスの搬送、設置、回収作業をより効率的に行うことのできる簡易設置用フェンスを提供することを課題としている。
【課題を解決するための手段】
【０００６】
上記課題を解決するため本考案は、第１に、フェンス本体２と、該フェンス本体２を、左右両端側からそれぞれ下支えして起立させる一対の横方向に延びる脚部３とを備え、各脚部３は、平面視でフェンス本体２に沿って格納される格納姿勢と、平面視でフェンス本体２から交差方向に突出してフェンス本体２を下支えする支持姿勢とに切換可能に、上下方向の軸回りに回動可能にフェンス本体２側に連結され、前記脚部３は、格納姿勢時において、全体が、上記フェンス本体２の左右における該脚部３に近い側の端部よりも左右内側に位置するように構成されたことを特徴としている。
【０００７】
第２に、前記脚部３をフェンス本体２に回動可能に連結する上下方向の軸部１８を備え、該軸部１８は、上記フェンス本体の左右における該軸部１８に近い側の端部よりも左右内側に配置形成されたことを特徴としている。
【０００８】
第３に、前記脚部３は、その中途部に前記軸部１８の下端側が連結されて逆Ｔ字状に形成されたことを特徴としている。
【０００９】
第４に、前記脚部３は、格納姿勢時において、平面視でフェンス本体２の幅内に収まるように形成されたことを特徴としている。
【００１０】
第５に、前記脚部３の回動位置を無段階で固定する固定具２３を設けたことを特徴としている。
【００１１】
第６に、前記フェンス本体２の左右端側は、フェンス本体２同士が連結されるジョイント部８を設け、該ジョイント部８は、平面視でリング状となるように配置された状態で、フェンス本体２の幅内に収まるように形成されてなることを特徴としている。
【００１２】
第７に、前記ジョイント部８は、隣接するフェンス本体２側のジョイント部８と連結される連結具２６を設けたことを特徴としている。
【００１３】
第８に、前記ジョイント部８は、連結具２６を介して、前記フェンス本体２の側方側に開閉可能な扉型フェンス３０を設けたことを特徴としている。
【００１４】
第９に、前記連結具２６は、環状に形成されており、環形状の内側に向けて回動するとともに、環形状を保つ位置に復帰するように付勢されたフック部２６ａを備えたことを特徴としている。
【００１５】
第１０に、前記フェンス本体２は、棒状の縦枠１１と横枠１２とで枠状に形成され、該縦枠１１と横枠１２との連結箇所は、一対のＴ字状の連結板１４で挟持した状態で、該連結板１４を縦枠１１及び横枠１２側に固定してなることを特徴としている。
【００１６】
第１１に、前記縦枠１１及び横枠１２は、その周面に長手方向に沿った凹凸形状であるマーカー部１６が形成されたことを特徴としている。
【００１７】
第１２に、前記フェンス本体２は、角部に上下方向に突出させた突出部３１を形成した
ことを特徴としている。
【００１８】
第１３に、前記フェンス本体２の長手方向を、１．９メートル以下に形成したことを特徴としている。
【考案の効果】
【００１９】
上記構成によれば、フェンス本体を下支えする脚部がフェンス本体に沿って格納される格納姿勢に切換えられることにより、格納姿勢に切換えられた脚部がフェンス本体の左右内側に収まって左右外側に突出しないため、フェンス全体をよりコンパクトにしてスペース効率良く収納することができるとともに、フェンスの設置・撤去作業を少ない人数でスムーズに効率良く行うことができる。
【００２０】
また、前記脚部は、その中途部に前記軸部の下端側が連結されて逆Ｔ字状に形成されたものによれば、脚部を支持姿勢に切換えた際に、フェンス本体を安定して支持することができる。
【００２１】
また、前記脚部の回動位置を無段階で固定する固定具を設けたものによれば、複数のフェンスをクランク状やカーブをつけて並べて配置する際に、隣接する脚部同士が干渉することを避けることのできる回動位置で脚部を固定することができる。
【００２２】
なお、前記フェンス本体の左右端側は、フェンス本体同士が連結されるジョイント部を設け、該ジョイント部は、平面視でリング状となるように配置された状態で、フェンス本体の幅内に収まるように形成されたものによれば、複数のフェンスを重ねて収容する際に、ジョイント部がフェンスの積層方向に干渉しないため、フェンス全体をスペース効率良く収容することができる。
【００２３】
また、前記ジョイント部は、隣接するフェンス本体側のジョイント部と連結される連結具を設けたものによれば、隣接するフェンス間は、ジョイント部に連結された連結具を介して連結されることで、隣接するフェンスを連結した状態で上下左右方向に互いの位置を調整できるため、フェンスを様々な場所に安定して設置できる。
【００２４】
また、前記フェンス本体は、棒状の縦枠と横枠とで枠状に形成され、該縦枠と横枠との連結箇所は、一対のＴ字状の連結板で挟持した状態で、該連結板を縦枠及び横枠側に固定してなるものによれば、フェンス本体を簡易に構成できるとともに、フェンス本体の厚さを縦枠及び横枠の太さより必要以上に厚くならずに形成できる。
【００２５】
なお、前記フェンス本体は、角部に上下方向に突出させた突出部を形成したものによれば、該突出部によりフェンス本体に広告体を取付け易くなる。
【図面の簡単な説明】
【００２６】
【図１】（Ａ）及び（Ｂ）は、脚部を格納姿勢に切換えた状態を示す平面図、側面図である。
【図２】一方の脚部を格納姿勢に切換え、他方の脚部を支持姿勢とに切換えた状態を示す要部斜視図である。
【図３】（Ａ）は、フェンス本体の連結部を示した図であり、（Ｂ）は、縦枠及び横枠の断面図である。
【図４】（Ａ）及び（Ｂ）は、脚部の回動機構を示した要部正面図、要部断面図である。
【図５】（Ａ）及び（Ｂ）は、連結具の使用態様を示した図である。
【図６】フェンスの使用状態を示した図である。
【図７】扉フェンスを用いた状態を示した図である。
【図８】複数のフェンスをクランク状に並べた際の使用態様を示した図である。
【図９】（Ａ）は、別実施例のフェンスの正面図であり、（Ｂ）は、別実施例の扉型フェンスの正面図である。
【考案を実施するための形態】
【００２７】
以下、本考案の簡易設置用フェンスの実施形態を説明する。図１（Ａ）及び（Ｂ）は、脚部を格納姿勢に切換えた状態を示す平面図、側面図であり、図２は、一方の脚部を格納姿勢に切換え、他方の脚部を支持姿勢とに切換えた状態を示す要部斜視図であり、図３（Ａ）は、フェンス本体の連結部を示した図であり、図３（Ｂ）は、縦枠及び横枠の断面図であり、図４（Ａ）及び（Ｂ）は、脚部の回動機構を示した要部正面図、要部断面図である。
【００２８】
本考案が適用されたフェンス（簡易設置用フェンス）１は、空間を仕切るためのフェンス本体２と、フェンス本体２を左右両端側からそれぞれ下支えして起立させる一対の横方向に延びる少なくとも２以上（図示する例では２つ）の脚部３，３とを備え、該脚部３は、回動機構を介して回動作動可能に設けられている。これにより、各脚部３，３は、平面視でフェンス本体２に沿って格納される格納姿勢と、平面視でフェンス本体２から交差方向に突出してフェンス本体２を下支えする支持姿勢とに切換可能に構成されている（図１（Ｂ）、図２参照）。
【００２９】
前記フェンス本体２は、左右方向に長い方形状の枠体と、該枠体内に所定のピッチで配置される棒状の柵体７と、該枠体の左右端側に設けられて隣接するフェンス１と連結するためのジョイント部８とを備えている。該ジョイント部８については後述する。
【００３０】
上記枠体は、図示されるように、縦方向の棒状部材である縦枠１１と、横方向の棒状部材である横枠１２と、棒状部材がＬ字状に屈曲形成された湾曲部１３とから構成されており、方形状の枠体の四隅は、それぞれ湾曲部１３が配置されることでＲ状に形成されている。これにより、四隅が湾曲されたフェンス本体は、フェンスに接触等した場合であっても安全性が高いものであって、特に官公庁向けの製品に適している。
【００３１】
該縦枠１１及び横枠１２は、一対のＴ字状の連結板１４により連結されている。具体的には、縦枠１１と横枠１２は、端部側で固定用の固定孔（図示しない）が穿設されており、Ｔ字状に配置して連結箇所を一対の連結板１４で挟持した状態で、該連結板１４を縦枠１１及び横枠１２の固定孔側にビス固定等によって固着することで連結されている（図３（Ａ）等参照）。
【００３２】
このとき、棒状の縦枠１１と横枠１２の周面には、長さ方向に沿った凹凸部が複数形成されており、滑り止めや、汚れ防止の機能を有するとともに、該凹凸部の一部が幅広に形成されたマーカー部１６が形成されている。該マーカー部１６により、縦枠１１及び横枠１２をビス等で連結板１４側に固定する際に、連結板１４側の固定孔と、縦枠１１及び横枠１２の固定孔とが連通される連結位置に容易に位置決めできる（図３（Ａ）,（Ｂ）参照）。
【００３３】
なお、上記柵体７は、枠体を構成する上下一対の横枠１２，１２間に配置されて横枠１２よりも細い径で形成された棒状部材であって、枠内を人が通り抜けることができない程度の間隔で配置されている。具体的には、各柵体間が約２０ｃｍ程度となるように並べて配置されている。
【００３４】
該構成のフェンス本体２は、左右幅が１．９メートル以下（図示する例では左右幅が１．８メートル）となるように構成されている。これにより、フェンス１（フェンス本体２）が通常の軽トラックの積荷台の縦方向に収まるため、より効率的に多くのフェンスを収納・搬送することができる。
【００３５】
前記脚部３は、フェンス本体２の下部側に連結される上下方向の軸受部１７と、棒状の脚部２の中途部（図示する例では、略中央）に交差するように設けた上下方向の軸部１８とが設けられることにより、逆Ｔ字状に形成されている。また、該脚部３の両端下面側には、フェンスがより安定して自立するための滑止部１９が設けられている。
【００３６】
該脚部３は、軸部１８及び軸受部１７に形成された回動機構によって回動可能に構成されており、各脚部３は、平面視でフェンス本体２に沿って格納される格納姿勢と、平面視でフェンス本体２から交差方向に突出してフェンス本体を下支えする支持姿勢とに切換可能に構成されている（図１、図２参照）。以下、具体的に説明する。
【００３７】
上記軸部１８は、その軸方向の中途部に、軸方向と交差する方向に長い一対の規制孔１８ａ，１８ａが穿設されており、該軸部１８は、フェンス本体２側に連結された軸受部１７内に挿通された状態で、軸と垂直方向に固定ネジ２１を挿通することによって、軸部１８（脚部３）と軸受部１７（フェンス本体２）とが連結されている（図４（Ａ）、（Ｂ）参照）。前記脚部３は、固定ネジ２１が規制孔１８ａ内を移動可能な範囲内で回動可能となり、図示する例では、該一対の規制孔１８ａは、軸部周りに９０°の範囲に亘って穿設されている。
【００３８】
上記固定ネジ２１は、軸受部１７及び軸部１８（規制孔１８ａ）を挿通し、ネジ部２１ａの一端側に抜け落ち防止用のナット部２２が固着され、他端側に捻ることでネジ部２１ａの軸上を移動する把持部（固定具）２３が設けられている。該構成により、該把持部２３を回動することで軸受部１７側に移動させて把持部２３とナット部２２との間を狭め、把持部２３とネジ部２１ａとで軸部１８と軸受部１７とを挟むことによって脚部３の回動位置を保持することができる。
【００３９】
また、該軸部１８（軸受部１７）は、図示されるように、フェンス本体２の左右における該軸部１８に近い側に端部よりも左右内側に配置形成されており、脚部３が前記格納姿勢に切換えられた際に、脚部３がフェンス本体２に近い側の左右端部よりも、左右内側に収まるように構成されている（図１（Ａ）、図３参照）。これにより、脚部３が格納姿勢に切換られた場合にも、脚部３がフェンス本体２の左右幅から突出しないため、よりコンパクトになる。
【００４０】
なお、回動機構を構成する前記固定ネジ２１ａは、脚部３が格納姿勢に切換えられた際に、固定ネジ２１の把持部２３が左右方向を向くように配置されている。また、格納姿勢時に固定ネジ２１がフェンス本体２の幅（厚さ）方向に突出しないように構成されている。
【００４１】
上記構成により、フェンス１は、脚部３を格納姿勢に切換えることにより、脚部３がフェンス本体２に沿った位置であって且つフェンス本体２の左右幅内に収まるとともに、該脚部３が平面視でフェンス本体２の幅内にも収まるように構成されるため、よりコンパクトな状態に切替えられる。この格納姿勢時のフェンス１によれば、複数枚を軽トラック等の荷台に並べて収容する際に、厚さ方向に嵩張らずに多くのフェンスをスペース効率良く収容することができる。これにより、従来のフェンスと比較して、フェンスを搬送する搬送トラックの台数と、フェンスの設置作業・撤去作業に必要な人数とを大幅に節約することができるため、コストを低く抑えることができる。
【００４２】
また、上述のフェンス本体２及び脚部３は、アルミ材を用いて構成されているため、鉄柵等に比べて重量が軽く、フェンスの配置・撤去作業がより容易となる。
【００４３】
また、該フェンス本体２と脚部３とは、棒状の縦材及び横材とこれらを連結する前記連結板とをビス止め等することで溶接作業をすることなく組立てることができるため、製造コストを低く抑えることができるとともに、故障箇所のパーツのみを換装することによってフェンスの修理も容易にできる。
【００４４】
次に、図５乃至図８に基づいて、フェンスの使用態様について説明する。図５（Ａ）及び（Ｂ）は、連結具の使用態様を示した図であり、図６は、フェンスの使用状態を示した図であり、図７は、扉フェンスを用いた状態を示した図であり、図８は、複数のフェンスをクランク状に並べた際の使用態様を示した要部平面図である。
【００４５】
上述のように構成されたフェンス１は、複数並べて配置するとともに、隣接するフェンス１，１同士を前記ジョイント部８に着脱自在に連結される連結具２６を介して連結することによって、必要な長さの仕切体を構成することができる（図６参照）。該仕切体によって、イベント会場（例えばマラソン大会、大規模展示場、納涼祭、運動会等）での順路に誘導する誘導柵や、災害や事故、警備作業時における通行止め柵や避難誘導用の表示柵や、学校行事や地域団体の集会の公民施設で用いる仕切り用の柵等を容易に形成できる。
【００４６】
前記ジョイント部８は、図示されるように、フェンス本体の左右端の上部側に配置されたリング部２７と、該リング部２７をフェンス本体２側に設ける取付部２８とを備え、リング部２７が取付部２８を軸に回転可能な状態で縦枠１１（湾曲部１３）側に設けられている（図１、図７参照）。このとき、該ジョイント部８のリング部２７の径は、縦枠１１（湾曲部１３）の径よりも小さくなるように形成されている（図５（Ａ）、（Ｂ）参照）。なお、該ジョイント部８は、フェンス本体２左右端の下部側にも配置した構成であっても良い。
【００４７】
前記連結具２６は、楕円状（リング状）に形成されるとともに、楕円の内側に向けて回動するフック部２６ａを備えており、該フック部２６ａは、楕円形状を保つ位置に復帰するように付勢されている（図５（Ａ）、（Ｂ）参照）。
【００４８】
該構成の連結具２６によれば、フック部２６ａを連結対象のフェンス１のジョイント部８に当接させることによって、フック部２６ａが付勢力に抗して回動するため、作業者は片手でもワンタッチ操作で容易に連結具２６とジョイント部８とを連結させることができる。
【００４９】
上記連結具２６を介して、隣接するフェンス１，１を連結することによって、隣接するフェンスの左右端側同士を直接連結する場合と比較して、連結具２６の分だけ上下左右に自由に動かすことができる。そのため、隣接するフェンス１，１間に段差や傾斜がある場合であっても、各フェンス１をそれぞれ安定して自立させることができる（図６参照）。なお、ジョイント部８間に連結具２６を２つ以上連結させて、フェンス１間の融通をより大きく利かせることもできる（図５（Ｂ）参照）。
【００５０】
これにより、前記フェンス１は、設置場所が常に平坦ではなく、傾斜地や段差地であったり、カーブしていたりすることによって、隣接するフェンスのジョイント部８，８が上下又は左右方向にずれる場合であっても、このジョイント部間を前記連結具２６によってワンタッチ操作で連結できるため、フェンス１を設置場所の状況によらず安定して設置可能で汎用性が高く、フェンス間の連結・解除操作も容易でフェンス１の設置・撤収作業をスムーズにできる。
【００５１】
また、図７に示されるように、複数のフェンスを並べることで仕切体を形成するにあたり、隣接するフェンスの一方側にのみに連結具２６を介して連結される扉型フェンス３０を設けることができる。これにより、仕切体の中途部に仕切体の間を行き来するためのドア部を形成することができる。
【００５２】
具体的には、該扉型フェンス３０は、高さ方向はフェンスと略同じに形成されるとともに、左右幅方向はフェンスの３分の１程度（図示する例では、６０ｃｍ程度）に形成されており、２本の棒状の支持脚部３１，３１と、左右端側に隣接するフェンスと連結するためのジョイント部３２とを備えている。該扉型フェンスは、隣接するフェンスのジョイント部８に、左右一端側が連結具２６を介して連結されることによって、自立することができる。また、扉型フェンス３０は、連結具２６を介して連結されることによって、連結具２６を支点に前後方向に自由に動かすことができるため、扉型フェンス３０がドアとして機能する。
【００５３】
また、上記連結具２６によって、隣接するフェンス間同士に融通を持たせて連結させることができるため、図８に示されるように、複数のフェンス１を並べることで仕切体を形成するにあたり、隣接するフェンス１に角度を付けて連結することができる。これにより、前記仕切部をクランク状に形成したり、カーブをつけたりすることができる。
【００５４】
このとき、隣接するフェンス１，１に角度をつけて連結する場合には、隣接するフェンスの脚部３の一方側だけを格納姿勢に切換えることによって、隣接するフェンスの脚部３同士が干渉することを防止することができる（図８参照）。
【００５５】
次に、図９に基づき、フェンスの別実施例について上述の例と異なる点を説明する。図９（Ａ）は、別実施例のフェンスの正面図であり、図９（Ｂ）は、別実施例の扉型フェンスの正面図である。図示されるフェンス１及び扉型フェンス３０は、フェンス本体２の角部に、上下方向に突出した突出部３１が形成されている。図示する例では、それぞれ３〜５ｃｍ程度の突出部３３が形成されている。
【００５６】
該構成によれば、突出部３３を用いてフェンスにポスターや、旗等の広告体３４を取付け易くなる（図９参照）。また、フェンス本体２が直線状の棒状部材と前記連結板とを用いて組立てることで組立可能となるため、必要な材料の種類が減って製造コストを低く抑えることができる。
【符号の説明】
【００５７】
２    フェンス本体
３    脚部
８    ジョイント部
１６    マーカー部
１８    軸部
２３    固定具
２６    連結具
３０    扉型フェンス
【図１】
0003200670.tif 000003
【図２】
0003200670.tif 000004
【図３】
0003200670.tif 000005
【図４】
0003200670.tif 000006
【図５】
0003200670.tif 000007
【図６】
0003200670.tif 000008
【図７】
0003200670.tif 000009
【図８】
0003200670.tif 000010
【図９】
0003200670.tif 000011